(57)【特許請求の範囲】
【請求項１】
受信した信号のサブバンド毎の信号対雑音電力比と、受信した上記信号の全てのサブバンドを含むワイドバンドの信号対雑音電力比とを算出し、補正対象サブバンドの信号対雑音電力比とワイドバンドの信号対雑音電力比とを比較して推定誤差の有無を判断する信号対雑音電力比算出手段と、
他のサブバンドに比較して既知信号の数が少ないサブバンドである補正対象サブバンドの信号対雑音電力比が、サブバンド毎の信号対雑音電力比のうちの最大の信号対雑音電力比である場合、補正対象サブバンドの信号対雑音電力比をより小さな値に補正し、上記補正対象サブバンドの信号対雑音電力比が、サブバンド毎の信号対雑音電力比のうちの最小の信号対雑音電力比である場合、補正対象サブバンドの信号対雑音電力比をより大きい値に補正する補正手段と、
補正対象サブバンドの補正された信号対雑音電力比から補正対象サブバンドのCQI(channel quality indicator)を算出するCQI算出手段と
を有することを特徴とする受信装置。
【請求項２】
請求項１に記載の受信装置において、
前記補正対象サブバンドは、全てのサブバンドの最終のサブバンドである
ことを特徴とする受信装置。
【請求項３】
請求項１に記載の受信装置において、
前記補正手段は、前記補正対象サブバンドの信号対雑音電力比が、サブバンド毎の信号対雑音電力比のうちの最大の信号対雑音電力比である場合、前記補正対象サブバンドの信号対雑音電力比がワイドバンドの信号対雑音電力比より大きいとき、前記補正対象サブバンドの信号対雑音電力比をより小さな値に補正し、前記補正対象サブバンドの信号対雑音電力比が、サブバンド毎の信号対雑音電力比のうちの最小の信号対雑音電力比である場合、前記補正対象サブバンドの信号対雑音電力比がワイドバンドの信号対雑音電力比より小さいとき、前記補正対象サブバンドの信号対雑音電力比をより大きい値に補正する
ことを特徴とする受信装置。
【請求項４】
請求項１に記載の受信装置において、
前記補正手段は、前記補正対象サブバンドの信号対雑音電力比が、サブバンド毎の信号対雑音電力比のうちの最大の信号対雑音電力比である場合、前記補正対象サブバンドの信号対雑音電力比を、サブバンド毎の信号対雑音電力比のうちの２番目に大きい信号対雑音電力比に置換し、前記補正対象サブバンドの信号対雑音電力比が、サブバンド毎の信号対雑音電力比のうちの最小の信号対雑音電力比である場合、前記補正対象サブバンドの信号対雑音電力比を、サブバンド毎の信号対雑音電力比のうちの２番目に小さい信号対雑音電力比に置換する
ことを特徴とする受信装置。
【請求項５】
信号対雑音電力比算出手段、補正手段、およびCQI算出手段を備える受信装置の受信方法において、
上記信号対雑音電力比算出手段により、受信した信号のサブバンド毎の信号対雑音電力比と、受信した上記信号の全てのサブバンドを含むワイドバンドの信号対雑音電力比とを算出し、補正対象サブバンドの信号対雑音電力比とワイドバンドの信号対雑音電力比とを比較して推定誤差の有無を判断する信号対雑音電力比算出ステップと、
上記補正手段により、他のサブバンドに比較して既知信号の数が少ないサブバンドである補正対象サブバンドの信号対雑音電力比が、サブバンド毎の信号対雑音電力比のうちの最大の信号対雑音電力比である場合、補正対象サブバンドの信号対雑音電力比をより小さな値に補正し、上記補正対象サブバンドの信号対雑音電力比が、サブバンド毎の信号対雑音電力比のうちの最小の信号対雑音電力比である場合、補正対象サブバンドの信号対雑音電力比をより大きい値に補正する補正ステップと、
上記CQI算出手段により、補正対象サブバンドの補正された信号対雑音電力比から補正対象サブバンドのCQIを算出するCQI算出ステップと
を含むことを特徴とする受信方法。
【請求項６】
受信した信号のサブバンド毎の信号対雑音電力比と、受信した上記信号の全てのサブバンドを含むワイドバンドの信号対雑音電力比とを算出し、補正対象サブバンドの信号対雑音電力比とワイドバンドの信号対雑音電力比とを比較して推定誤差の有無を判断する信号対雑音電力比算出ステップと、
他のサブバンドに比較して既知信号の数が少ないサブバンドである補正対象サブバンドの信号対雑音電力比が、サブバンド毎の信号対雑音電力比のうちの最大の信号対雑音電力比である場合、補正対象サブバンドの信号対雑音電力比をより小さな値に補正し、上記補正対象サブバンドの信号対雑音電力比が、サブバンド毎の信号対雑音電力比のうちの最小の信号対雑音電力比である場合、補正対象サブバンドの信号対雑音電力比をより大きい値に補正する補正ステップと、
補正対象サブバンドの補正された信号対雑音電力比から補正対象サブバンドのCQIを算出するCQI算出ステップと
を含む処理をコンピュータに行わせるプログラム。
【発明の詳細な説明】
【技術分野】
【０００１】
本発明は受信装置および受信方法、並びにプログラムに関する。
【背景技術】
【０００２】
近年の移動体通信システムにおいて、限られた無線リソースを効率的に活用するため、基地局が、移動局で推定された無線チャネル品質情報に基づいて、適応的に符号化率または変調方式などの伝送フォーマットを変更する適応リンク制御が用いられている。これらの移動体通信システムにおいて、基地局が、移動局から報告された無線チャネル品質情報に基づいて適応リンク制御を行う。
【０００３】
3GPP（3rd generation partnership project）で規定されるLTE（long term evolution）などの移動体通信における基地局と移動局との間で用いられる適応リンク制御処理にて利用される無線チャネル品質情報（CSI）（channel state information）が移動局で推定される。このとき、サブバンド（subband）の信号対雑音電力比（SNR（signal to noise ratio））が推定される。
【０００４】
ここで、移動体通信システムにおいて、適応リンク制御を実現するための一般的な処理について説明する。
【０００５】
移動局は、既知の信号（以下、既知信号とも称する。）であるリファレンスシグナル（reference signal）を用いてSNRを推定し、そのSNRを移動局で予め用意しておいたテーブルを用いてCSI（無線チャネル品質情報）に変換する。CSIは、CQI（channel quality indicator）、RI（rank index）、およびPMI（precoding matrix index）の総称である。移動局は、上りの通信チャネルを用いて基地局に下りの無線チャネル品質情報を報告する。基地局は、セル内の複数の移動局からの無線チャネル品質情報を集計し、チャネル品質が良い移動局に無線リソースを割り当てるように適応リンク制御を行う。
【０００６】
基地局は、移動局から報告されるCSI（無線チャネル品質情報）に基づいてスケジューリングを行うため、移動局から報告されるCSI（無線チャネル品質情報）と実際のチャネル品質との間の誤差が大きいと適切なスケジューリングが行えなくなり、システムスループットが低下してしまう。
【０００７】
従って、基地局主導のスケジューリングが行われる場合、移動局が報告するCSIには高い信頼性が求められる。LTEでは複数のリソースブロックを束ねた単位のサブバンド単位にてCSIを報告する必要がある。
【０００８】
従来は、基地局装置が、ユーザ装置から報告されたＣＱＩを補正する補正手段と、補正後のＣＱＩに基づいてスケジューリングを行うスケジューラを有するものがある（例えば、特許文献１参照）。この場合、補正手段は、補正テーブルを用いて、報告されたＣＱＩが悪ければ小さく、良ければ大きく減らすように補正する。この補正テーブルは、ｎ−１より少ない干渉ユーザ数を考慮した場合の第１のＳＩＮＲと、ｎ−１に等しい干渉ユーザ数を考慮した場合の第２のＳＩＮＲとが求められ、第１のＳＩＮＲに対する第２のＳＩＮＲの分布状況が調べられ、分布状況に基づいて、第１及び第２のＳＩＮＲの対応関係が決定され、作成される。
【先行技術文献】
【特許文献】
【０００９】
【特許文献１】特開２００９−８９１９１号公報
【発明の概要】
【発明が解決しようとする課題】
【００１０】
しかしながら、サブバンドの中の最後のサブバンドである最終サブバンドに含まれるリソースブロック数が他のサブバンドと比べて少なく、その結果、推定に利用するリファレンスシグナル数が少なくなるため、最終サブバンドに対するCSIの推定精度が他のサブバンドより悪くなり、これにより、システムスループットが低下する可能性が高くなる。
【００１１】
そこで、本発明は、上記課題を解決すること、すなわち、他のサブバンドに比べて推定精度が悪い最終サブバンドの推定誤差を最終サブバンド以外の推定結果を利用して補正することで、基地局に報告する無線チャネル品質情報の精度を高め、適応リンク制御の効果を高めることのできる受信装置および受信方法、並びにプログラムを提供することを目的とする。
【課題を解決するための手段】
【００１２】
上記課題を解決するために、本発明の一側面は、受信した信号のサブバンド毎の信号対雑音電力比と、受信した信号の全てのサブバンドを含むワイドバンドの信号対雑音電力比とを算出し、補正対象サブバンドの信号対雑音電力比とワイドバンドの信号対雑音電力比とを比較して推定誤差の有無を判断する信号対雑音電力比算出手段と、他のサブバンドに比較して既知信号の数が少ないサブバンドである補正対象サブバンドの信号対雑音電力比が、サブバンド毎の信号対雑音電力比のうちの最大の信号対雑音電力比である場合、補正対象サブバンドの信号対雑音電力比をより小さな値に補正し、補正対象サブバンドの信号対雑音電力比が、サブバンド毎の信号対雑音電力比のうちの最小の信号対雑音電力比である場合、補正対象サブバンドの信号対雑音電力比をより大きい値に補正する補正手段と、補正対象サブバンドの補正された信号対雑音電力比から補正対象サブバンドのCQIを算出するCQI算出手段とを有するものとされている。
【００１３】
また、本発明の受信装置の一側面は、補正対象サブバンドが、全てのサブバンドの最終のサブバンドとされている。
【００１４】
また、本発明の受信装置の一側面は、上述の構成に加えて、補正手段が、補正対象サブバンドの信号対雑音電力比が、サブバンド毎の信号対雑音電力比のうちの最大の信号対雑音電力比である場合、補正対象サブバンドの信号対雑音電力比がワイドバンドの信号対雑音電力比より大きいとき、補正対象サブバンドの信号対雑音電力比をより小さな値に補正し、補正対象サブバンドの信号対雑音電力比が、サブバンド毎の信号対雑音電力比のうちの最小の信号対雑音電力比である場合、補正対象サブバンドの信号対雑音電力比がワイドバンドの信号対雑音電力比より小さいとき、補正対象サブバンドの信号対雑音電力比をより大きい値に補正するものとされている。
【００１５】
さらに、本発明の受信装置の一側面は、上述の構成に加えて、補正手段が、補正対象サブバンドの信号対雑音電力比が、サブバンド毎の信号対雑音電力比のうちの最大の信号対雑音電力比である場合、補正対象サブバンドの信号対雑音電力比を、サブバンド毎の信号対雑音電力比のうちの２番目に大きい信号対雑音電力比に置換し、補正対象サブバンドの信号対雑音電力比が、サブバンド毎の信号対雑音電力比のうちの最小の信号対雑音電力比である場合、補正対象サブバンドの信号対雑音電力比を、サブバンド毎の信号対雑音電力比のうちの２番目に小さい信号対雑音電力比に置換するものとされている。
【００１６】
また、本発明の受信方法の一側面は、信号対雑音電力比算出手段、補正手段、およびCQI算出手段を備える受信装置の受信方法であって、信号対雑音電力比算出手段により、受信した信号のサブバンド毎の信号対雑音電力比と、受信した信号の全てのサブバンドを含むワイドバンドの信号対雑音電力比とを算出し、補正対象サブバンドの信号対雑音電力比とワイドバンドの信号対雑音電力比とを比較して推定誤差の有無を判断する信号対雑音電力比算出ステップと、補正手段により、他のサブバンドに比較して既知信号の数が少ないサブバンドである補正対象サブバンドの信号対雑音電力比が、サブバンド毎の信号対雑音電力比のうちの最大の信号対雑音電力比である場合、補正対象サブバンドの信号対雑音電力比をより小さな値に補正し、補正対象サブバンドの信号対雑音電力比が、サブバンド毎の信号対雑音電力比のうちの最小の信号対雑音電力比である場合、補正対象サブバンドの信号対雑音電力比をより大きい値に補正する補正ステップと、CQI算出手段により、補正対象サブバンドの補正された信号対雑音電力比から補正対象サブバンドのCQIを算出するCQI算出ステップとを含むものとされている。
【００１７】
さらに、本発明のプログラムの一側面は、コンピュータに、受信した信号のサブバンド毎の信号対雑音電力比と、受信した信号の全てのサブバンドを含むワイドバンドの信号対雑音電力比とを算出し、補正対象サブバンドの信号対雑音電力比とワイドバンドの信号対雑音電力比とを比較して推定誤差の有無を判断する信号対雑音電力比算出ステップと、他のサブバンドに比較して既知信号の数が少ないサブバンドである補正対象サブバンドの信号対雑音電力比が、サブバンド毎の信号対雑音電力比のうちの最大の信号対雑音電力比である場合、補正対象サブバンドの信号対雑音電力比をより小さな値に補正し、補正対象サブバンドの信号対雑音電力比が、サブバンド毎の信号対雑音電力比のうちの最小の信号対雑音電力比である場合、補正対象サブバンドの信号対雑音電力比をより大きい値に補正する補正ステップと、補正対象サブバンドの補正された信号対雑音電力比から補正対象サブバンドのCQIを算出するCQI算出ステップとを含む処理を行わせるものとされている。
【発明の効果】
【００１８】
本発明の一側面によれば、基地局に報告する無線チャネル品質情報の精度を高め、適応リンク制御の効果を高めることのできる受信装置および受信方法、並びにプログラムを提供することができる。
【図面の簡単な説明】
【００１９】
【図１】受信装置における、受信信号からCQIを生成するまでの部位の構成を示すブロック図である。
【図２】周波数軸上でのリソースブロック、サブバンド、およびワイドバンドの関係を示す図である。
【図３】sSNRとwSNRの例を示す図である。
【図４】最終サブバンドのsSNRの補正を説明する図である。
【図５】CQIの算出の処理を説明するフローチャートである。
【図６】コンピュータのハードウェアの構成例を示すブロック図である。
【発明を実施するための形態】
【００２０】
以下、本発明の一実施の形態の受信装置について、図１〜図６を参照しながら説明する。
【００２１】
図１は、本発明の一実施の形態の受信装置の構成のうち、受信信号からCQIを生成するまでの部位の構成を示すブロック図である。なお、図１の受信装置は、LTEシステムをなす移動局である。
【００２２】
受信装置は、物理チャンネル／信号分離部１０、電力推定部１１、電力時間平均部１２、SNR算出部１３、ソート処理部１４、最大最小判定部１５、サブバンド番号判定部１６、SNR推定値比較部１７、SNR推定値補正部１８、およびCQI生成部１９から構成される。物理チャンネル／信号分離部１０は、受信信号からリファレンスシグナルとデータ信号を分離し、分離したリファレンスシグナルとデータ信号を電力推定部１１に供給する。リファレンスシグナルは、受信装置で既知の信号であり、周期的に各サブフレームに埋め込まれていて、受信装置で受信される。
【００２３】
電力推定部１１は、リファレンスシグナルを利用して、0.5msのスロット（slot）毎のサブバンド毎の雑音電力および信号電力を推定し、推定した雑音電力および信号電力を電力時間平均部１２に供給する。
【００２４】
図２は、LTEシステムにおいて、システム帯域幅が5MHzであり、CQI報告モードがPUSCH3-0である場合の、周波数軸上でのリソースブロック、サブバンド、およびワイドバンドの関係を示す図である。リソースブロックは２５個存在する。最終サブバンド（図２中の６と示されているサブバンド番号が付されたサブバンド）を除くサブバンド（図２中の０から５と示されているサブバンド番号が付されたサブバンド）には、それぞれ、４つのリソースブロックが含まれ、最終サブバンドには、１つのリソースブロックが含まれる。また、ワイドバンドは、全てのサブバンド含む幅を持つ構成となる。
【００２５】
電力時間平均部１２は、推定された各サブバンドの雑音電力および信号電力を利用して、X個のスロット（slot）にわたり、サブバンドの雑音電力および信号電力を平均することで、時間平均した雑音電力および信号電力を得る。電力時間平均部１２は、時間平均した雑音電力および信号電力をSNR算出部１３に供給する。
【００２６】
SNR算出部１３は、時間平均された雑音および信号電力を用いて、サブバンド毎のSNRおよび全サブバンドを含むワイドバンドのSNRを算出し、推定する。SNR算出部１３で算出されるSNRは、推定値である。
【００２７】
以下、サブバンドのSNRをsSNRと称し、特に、k（kは０以上の整数）であるサブバンド番号のサブバンドのSNRをsSNR（k）と称する。また、kが０〜i（iは１以上の整数）である場合、iであるサブバンド番号のサブバンドを最終サブバンドと称する。図２に示される例において、６であるサブバンド番号の最終サブバンドのsSNRは、sSNR（6）である。なお、最終サブバンドは、他のサブバンドに比較して既知信号の数が少ないサブバンドである補正対象サブバンドの一例である。
【００２８】
さらに、以下、ワイドバンドのSNRをwSNRと称する。
【００２９】
SNR算出部１３は、サブバンド毎のsSNRをソート処理部１４に供給すると共に、およびワイドバンドのwSNRをSNR推定値比較部１７に供給する。
【００３０】
このように、電力推定部１１は、受信信号から既知信号であるリファレンスシグナルを取り出し、各サブバンドに含まれるリファレンスシグナルを利用してサブバンド毎の雑音および信号電力を算出し、推定する。電力時間平均部１２は、複数のスロット（slot）での雑音および信号電力の算出値を平均し、SNR算出部１３は、平均した電力から各サブバンドのsSNR（例えば、sSNR（0）〜sSNR（6））およびワイドバンドのwSNRをそれぞれ算出する。すなわち、SNR算出部１３は、受信した信号のサブバンド毎の信号対雑音電力比と、受信した信号の全てのサブバンドを含むワイドバンドの信号対雑音電力比とを算出し、推定する。
【００３１】
ソート処理部１４は、各サブバンドのsSNR（k）をソートし、各サブバンドのsSNR（k）を降順に並べる。
【００３２】
ソート処理部１４は、降順にソートした、各サブバンドのsSNR（k）を最大最小判定部１５に供給する。最大最小判定部１５は、各サブバンドのsSNR（k）のうちの最大値（以下、SNR最大値と称する。）および最小値（以下、SNR最小値と称する）と、SNR最大値およびSNR最小値のそれぞれを与えるサブバンドの番号であるサブバンド番号とを得る。すなわち、ソート処理部１４は、サブバンド単位のsSNR（k）を降順に並び替える処理を行い、最大最小判定部１５は、ソート結果から、SNR最大値、SNR最小値、およびそれらを与えるサブバンド番号（０〜６）を記憶する。最大最小判定部１５は、SNR最大値およびSNR最小値と、SNR最大値およびSNR最小値のそれぞれを与えるサブバンドのサブバンド番号とをサブバンド番号判定部１６に供給する。
【００３３】
サブバンド番号判定部１６は、SNR最大値またはSNR最小値を与えるサブバンドのサブバンド番号から、SNR最大値またはSNR最小値を与えるサブバンドが最終サブバンドであるか否かを判定する。例えば、i=6である場合、サブバンド番号判定部１６は、最大最小判定部１５に記憶されたサブバンド番号が最終サブバンド番号の６と一致するかを判定する。また、サブバンド番号判定部１６は、SNR最大値またはSNR最小値を与えるサブバンドが最終サブバンドであるか否かの判定の結果と、SNR最大値およびSNR最小値とをSNR推定値比較部１７およびSNR推定値補正部１８に供給する。
【００３４】
SNR推定値比較部１７は、SNR最大値またはSNR最小値を与えるサブバンドが最終サブバンドである場合、最終サブバンドのsSNRとワイドバンドのwSNRとの大小を比較する。例えば、i=6である場合、SNR推定値比較部１７は、SNR最大値またはSNR最小値であるsSNR（6）の値とwSNRの値とを比較する。sSNR（6）がSNR最大値またはSNR最小値となる場合に、sSNR（6）とwSNRとを比較することで、例えば、図３に示されるように、sSNR（6）の値がsSNR（0）〜sSNR（5）に比べて大きくぶれて、６であるサブバンド番号の最終サブバンドに含まれるリソースブロックの数が少ない、すなわち、推定に用いるリファレンスシグナル数が少ないことに起因する誤差が生じていると判断できる。
【００３５】
SNR推定値比較部１７は、最終サブバンドのsSNRとワイドバンドのwSNRとの大小の比較の結果をSNR推定値補正部１８に供給する。SNR推定値補正部１８は、SNR最大値またはSNR最小値を与えるサブバンドが最終サブバンドである場合、最大最小判定部１５における判定の結果およびSNR推定値比較部１７における比較の結果により、図４に示されるように、最終サブバンドのsSNRを補正する。
【００３６】
すなわち、SNR推定値補正部１８は、最終サブバンドのsSNRがSNR最大値である場合、最終サブバンドのsSNRがワイドバンドのwSNRより大きいとき、最終サブバンドのsSNRを補正し、最終サブバンドのsSNRがワイドバンドのwSNRより小さいとき、最終サブバンドのsSNRを補正しない。また、SNR推定値補正部１８は、最終サブバンドのsSNRがSNR最小値である場合、最終サブバンドのsSNRがワイドバンドのwSNRより小さいとき、最終サブバンドのsSNRを補正し、最終サブバンドのsSNRがワイドバンドのwSNRより大きいとき、最終サブバンドのsSNRを補正しない。
【００３７】
例えば、i=6である場合、SNR推定値補正部１８は、最終サブバンドのsSNR（6）がSNR最大値である場合、最終サブバンドのsSNRがワイドバンドのwSNRより大きいとき、sSNR（6）をsSNR（0）〜sSNR（6）のうちの２番目に大きな値に置換する。すなわち、この場合、SNR推定値補正部１８は、sSNR（6）を、降順にソートされたsSNR（0）〜sSNR（6）のうちの先頭から２番目のsSNRに置換する。また、SNR推定値補正部１８は、最終サブバンドのsSNR（6）がSNR最小値である場合、最終サブバンドのsSNRがワイドバンドのwSNRより小さいとき、sSNR（6）をsSNR（0）〜sSNR（6）のうちの２番目に小さい値に置換する。すなわち、この場合、sSNR（6）を、降順にソートされたsSNR（0）〜sSNR（6）のうちの最後から２番目のsSNRに置換する。
【００３８】
このように、SNR推定値補正部１８は、他のサブバンドに比較して既知信号の数が少ないサブバンドである補正対象サブバンドの信号対雑音電力比が、サブバンド毎の信号対雑音電力比のうちの最大の信号対雑音電力比である場合、補正対象サブバンドの信号対雑音電力比をより小さな値に補正し、補正対象サブバンドの信号対雑音電力比が、サブバンド毎の信号対雑音電力比のうちの最小の信号対雑音電力比である場合、補正対象サブバンドの信号対雑音電力比をより大きい値に補正する。
【００３９】
SNR推定値補正部１８は、CQI生成部１９に補正後のSNRを供給する。
【００４０】
CQI生成部１９は、補正後のSNRを利用してCQIテーブルを参照しCQIを生成する。例えば、i=6である場合、CQI生成部１９は、補正したSNRを用いて最終サブバンドのCQIを算出する。以下、それぞれのサブバンドのCQIの値を、それぞれ、サブバンドCQIと称し、ワイドバンドのCQIの値を、ワイドバンドCQIと称する。
【００４１】
なお、CQI生成部１９は、０〜５であるサブバンド番号のサブバンドおよびワイドバンドについても、各SNRを用いてサブバンドCQIおよびワイドバンドCQIを算出する。
【００４２】
言い換えれば、CQI生成部１９は、補正対象サブバンドの補正された信号対雑音電力比から補正対象サブバンドのCQIを算出する。
【００４３】
このように、移動局に、無線チャネル品質を推定する無線チャネル品質測定部が設けられ、サブバンド毎に既知信号のリファレンスシグナルを用いて雑音電力および信号電力が推定され、その推定値からサブバンド毎のsSNRおよび全てのサブバンドを含むワイドバンドのSNRが算出される。
【００４４】
そして、得られたサブバンドおよびワイドバンドのSNRと用意されたCQIルックアップテーブルを利用して、サブバンドCQIおよびワイドバンドCQIが算出される。
【００４５】
推定に利用できるリファレンスシグナルの数が少ない最終サブバンドのサブバンドCQIについて、他のサブバンドでのsSNRおよびワイドバンドでのwSNRと最終サブバンドのsSNRとを比較し、最終サブバンドのsSNRが他のサブバンドのsSNRおよびワイドバンドでのwSNRから著しく逸脱している場合に、最終サブバンドのsSNRおよびCQIが補正される。
【００４６】
補正処理は、全サブバンドのSNR/CQI推定値のソート処理を行った後、最終サブバンドの推定値が他のサブバンドの推定結果よりも著しく大きくなっている可能性が高い場合および著しく小さくなっている可能性が高い場合に次のように行われる。
【００４７】
すなわち、最終サブバンドのsSNRがワイドバンドwSNRより大きく、かつ、ソートした結果、SNR最大値を与えるサブバンドが最終サブバンドであった場合、推定精度の粗さによりSNR最大値が大きく出ていると判断し、SNR最大値が小さくなるよう補正される。
【００４８】
また、最終サブバンドのsSNRがワイドバンドwSNRより小さく、かつ、ソートした結果、SNR最小値を与えるサブバンドが最終サブバンドであった場合、推定精度の粗さによりSNR最小値が小さく出ていると判断し、SNR最小値が大きくなるよう補正される。
【００４９】
そして、補正後のSNRを利用してCQIルックアップテーブルが参照されることで、最終サブバンドのサブバンドCQIが得られる。
【００５０】
以上のように、適応リンク制御に用いる無線通信システムにおいて、サブバンド毎の伝播環境を推定するのに利用できるリファレンスシグナルがサブバンド毎に異なる場合に、利用できるリファレンスシグナルが少ないサブバンドの推定値の推定誤差を他のサブバンドでの推定結果を用いて補正することで、上りリンクで報告される無線チャネル品質情報の精度を改善し、基地局におけるスケジューリング処理をより適切に行えるようにしシステムスループットの低下を防ぐことができる。
【００５１】
次に、i=6である場合についてのCQIの算出の処理を図５のフローチャートを参照して説明する。ステップＳ１１において、SNR算出部１３は、時間平均された雑音および信号電力を用いて、サブバンド毎のsSNR（k）およびワイドバンドのwSNRを推定する。ステップＳ１２において、ソート処理部１４は、各サブバンドのsSNR（k）をソートし、各サブバンドのsSNR（k）を降順に並べる。ステップＳ１３において、SNR最大値またはSNR最小値を与えるのが最終サブバンドであるか否かを判定する。ステップＳ１３において、SNR最大値またはSNR最小値を与えるのが最終サブバンドであると判定された場合、手続きは、ステップＳ１４に進み、最大最小判定部１５は、最終サブバンドのsSNRがSNR最大値であるか否かを判定する。
【００５２】
ステップＳ１４において、最終サブバンドのsSNRがSNR最大値であると判定された場合、ステップＳ１５に進み、SNR推定値比較部１７は、SNR最大値であるsSNR（6）の値とwSNRの値とを比較し、sSNR（6）がwSNRを超えてるか否かを判定する。ステップＳ１５において、sSNR（6）がwSNRを超えてると判定された場合、ステップＳ１６に進み、SNR推定値補正部１８は、sSNR（6）をsSNR（0）〜sSNR（6）のうちの２番目に大きな値に置換することで、sSNR（6）を補正する。すなわち、ステップＳ１６において、SNR推定値補正部１８は、sSNR（6）を小さくするようにSNRを補正する。ステップＳ１６の後、手続きはステップＳ１７に進み、CQI生成部１９は、補正後のSNRを利用してCQIテーブルを参照しCQIを算出し、処理は終了する。
【００５３】
一方、ステップＳ１４において、最終サブバンドのsSNRがSNR最大値であると判定された場合、最終サブバンドのsSNRがSNR最小値なので、手続きはステップＳ１８に進み、SNR推定値比較部１７は、SNR最小値であるsSNR（6）の値とwSNRの値とを比較し、sSNR（6）がwSNR未満であるか否かを判定する。ステップＳ１８において、sSNR（6）がwSNR未満であると判定された場合、ステップＳ１９に進み、SNR推定値補正部１８は、sSNR（6）をsSNR（0）〜sSNR（6）のうちの２番目に小さい値に置換することで、sSNR（6）を補正する。すなわち、ステップＳ１９において、SNR推定値補正部１８は、sSNR（6）を大きくするようにSNRを補正する。ステップＳ１９の後、手続きはステップＳ１７に進み、CQI生成部１９は、補正後のSNRを利用してCQIテーブルを参照しCQIを算出し、処理は終了する。
【００５４】
ステップＳ１８において、sSNR（6）がwSNR未満でないと判定された場合、およびステップＳ１５において、sSNR（6）がwSNRを超えていないと判定された場合、SNRは補正されずに、手続きはステップＳ１７に進み、CQI生成部１９は、補正されていないSNRを利用してCQIテーブルを参照しCQIを算出し、処理は終了する。
【００５５】
ステップＳ１３において、SNR最大値またはSNR最小値を与えるのが最終サブバンドでないと判定された場合、SNRは補正されずに、手続きはステップＳ１７に進み、CQI生成部１９は、補正されていないSNRを利用してCQIテーブルを参照しCQIを算出し、処理は終了する。
【００５６】
このように算出されたCQIは、基地局に報告される。
【００５７】
従って、基地局に報告する無線チャネル品質情報の精度を高め、適応リンク制御の効果を高めることができる。
【００５８】
本実施の形態においては、SNRの推定に利用できる既知信号の数が少ないサブバンドが最終サブバンドであると説明したが、他のサブバンドに比べて含まれる既知信号の数が少なければ、最終サブバンドに限らず適用可能である。
【００５９】
また、補正処理を行う条件としてワイドバンドのwSNRの推定値との大小の比較を行ったが、この比較は、必ずしも必要な条件ではなく、本指標を補正処理の条件とせずに補正処理を行っても良い。また、条件として該当サブバンドの時間変動が小さいと判断できる、また隣接するN個のサブバンドのsSNRの推定の結果の差分が少ないということなどの条件を追加して、補正処理を行うか、補正処理を行わないかを判断するようにしてもよい。
【００６０】
さらに、SNR最大値を２番目に大きいsSNRに置き換えるか、SNR最小値を２番目に小さいsSNRに置き換えると説明したが、必ずしもこれに限るものではなく、SNR最大値に対応するCQIの値から１を引き算するか、SNR最小値に対応するCQIの値に１を足し算するような補正を行うことも可能である。
【００６１】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００６２】
図６は、上述した一連の処理をプログラムにより実行するコンピュータのハードウェアの構成例を示すブロック図である。
【００６３】
コンピュータにおいて、CPU（Central Processing Unit）１０１，ROM（Read Only Memory）１０２，RAM（Random Access Memory）１０３は、バス１０４により相互に接続されている。
【００６４】
バス１０４には、さらに、入出力インターフェース１０５が接続されている。入出力インターフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。
【００６５】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００６６】
コンピュータ（CPU１０１）が実行するプログラムは、例えば、磁気ディスク（フレキシブルディスクを含む）、光ディスク（CD-ROM（Compact Disc-Read Only Memory）,DVD（Digital Versatile Disc）等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【００６７】
そして、プログラムは、リムーバブルメディア１１１をドライブ１１０に装着することにより、入出力インタフェース１０５を介して、記憶部１０８に記憶することで、コンピュータにインストールすることができる。また、プログラムは、有線または無線の伝送媒体を介して、通信部１０９で受信し、記憶部１０８に記憶することで、コンピュータにインストールすることができる。その他、プログラムは、ROM１０２や記憶部１０８にあらかじめ記憶しておくことで、コンピュータにあらかじめインストールしておくことができる。
【００６８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００６９】
また、本発明の実施の形態は、上述した実施の形態に限定されるものではなく、本発明の要旨を逸脱しない範囲において種々の変更が可能である。
【符号の説明】
【００７０】
１０…物理チャンネル／信号分離部、１１…電力推定部、１２…電力時間平均部、１３…SNR算出部、１４…ソート処理部、１５…最大最小判定部、１６…サブバンド番号判定部、１７…SNR推定値比較部、１８…SNR推定値補正部、１９…CQI生成部
【図１】
0005489210.tif 000002
【図２】
0005489210.tif 000003
【図３】
0005489210.tif 000004
【図４】
0005489210.tif 000005
【図５】
0005489210.tif 000006
【図６】
0005489210.tif 000007